(57)【要約】【課題】  電柱や送電線用の鉄塔などにおいて、カラスなど鳥類の営巣を防止するとともに、カラスなどが二度とこの場所には飛来して来ないようにする。【解決手段】  中が空洞の容器状を成し、一面に複数の開口４１を有する外装部４と、外装部４の空洞内に収納され、円筒の表面にランダムな凹凸形状を形成してなり、回転自在に支持された雲状体５と、蛇の形態をモチーフした蛇模型６と、外装部４の外側に配置され、風を受けて回転する風車機構９と、前記風車機構９による回転を前記雲状体５に伝えるための回転伝達機構９４、７、８１と、を有し、蛇模型６は、頭部６４を上に向け、尾の先端を前記雲状体５に当接した略上向きで、前記外装部４の開口４１と同じ位置に載置され、風車機構９の回転により雲状体５が回転し、該雲状体５の表面の凹凸に倣って蛇模型６が上下動をして外装部４の前記開口４１から蛇模型６の頭部６４が露出したり引っ込んだりする。【選択図】  図２
2017063747.tif 000002
【特許請求の範囲】
【請求項１】
電柱の腕金や鉄塔のアングル部材に設置する営巣防止装置であって、
鳥の巣と同程度の大きさで、中が空洞の容器状を成し、一面に複数の開口を有する外装部と、
前記外装部の空洞内に収納され、合成樹脂からなる円筒の表面にランダムな凹凸形状を形成してなり、回転自在に支持された雲状体と、
蛇の形態をモチーフした蛇模型と、
外装部の外側に配置され、風を受けて回転する風車機構と、
前記風車機構による回転を前記雲状体に伝えるための回転伝達機構と、
を有し、
前記蛇模型は、頭部を上に向け、尾の先端を前記雲状体に当接した略上向きに、前記外装部の開口と同じ位置に載置され、前記開口は、前記蛇模型の頭部と略等しい大きさに形成されており、
風車機構の回転により雲状体が回転し、該雲状体の該表面の凹凸に倣って前記蛇模型が上下動をして前記開口から頭部が露出したり引っ込んだりするようにした、
ことを特徴とする営巣防止装置。
【請求項２】
前記回転伝達機構は雲状体に取着された円板体と、風車機構に取着された円板体と、これら２つの円板体を連結し、風車機構の円板体の回転を雲状体の円板体に伝達する連結棒とからなる、
ことを特徴とする請求項１に記載の営巣防止装置。
【請求項３】
前記蛇模型は、頭部の下部に口開閉機構が設けられ、該口開閉機構が動作すると口が開くようになっており、該口の内部には鏡を備えた、
ことを特徴とする請求項１または２のいずれか１項に記載の営巣防止装置。
【請求項４】
外装部は土台部に回転自在に支持されており、外装部には尾翼が設けられており、
外装部が風を受けたときに尾翼が風下に位置するように外装部が土台に対して回転するようになっている、
ことを特徴とする請求項１から３のいずれか１項に記載の営巣防止装置。
【発明の詳細な説明】
【技術分野】
【０００１】
この発明は、カラスなどの鳥類が巣作りを行うこと（営巣）を防止する営巣防止装置に関し、特に、電柱や送電線用の鉄塔などの高所にカラスなどが営巣することに起因する地絡事故などを防止するための営巣防止装置に関する。
【背景技術】
【０００２】
電気事業分野において、電柱や送電塔へのカラスによる営巣は、停電や短絡事故の原因の一つとして、深刻な問題となっている。また、営巣するために運んできた枝などの営巣材が落下して付近の道路や民家を汚すなどの公害も、付近住民からのクレームの元となっており、さらには、カラスは、ハンガーや針金を使用して、枯れ枝と一緒に積み重ねて営巣することもあり、この場合、針金などの営巣材料が電線などに触れて漏電又は地絡する事故が多発していた。
【０００３】
ここで、カラスは野鳥の会により生存が守られており、また、鳥獣保護法によって捕獲が禁止されているので駆除することができないため、従来は設営された巣を撤去したり、様々な営巣防止具を電柱に設置したりして対策を講じてきたが、前者は同じ場所に再び営巣をしたり、後者は有効性が完全でないなどの問題があり、抜本的な対策には至っていなかった。
【０００４】
ハンガーや針金などによる地絡事故などを防止するために、たとえば特許文献１がある。
【０００５】
この特許文献１の鳥害防止装置（営巣防止装置）は、管状の本体部から突出した複数の弾性ピンが、風車と共に回転して、営巣材料を弾き飛ばすことで、鉄塔への営巣を防止するものである。
【先行技術文献】
【特許文献】
【０００６】
【特許文献１】特開２０１２−１９７５５号公報
【発明の概要】
【発明が解決しようとする課題】
【０００７】
しかしながら、特許文献１の鳥害防止装置（営巣防止装置）にあっては、カラスが運んできた営巣材料を弾き飛ばすなどして、営巣を邪魔するものであり、営巣材料が落下して付近の道路や民家を汚すなどの公害を解決することはできない。また、このような鳥害防止装置が設置されている部位しかその効力を発揮することはできず、換言すれば、このような鳥害防止装置を、電柱の腕金や鉄塔のアングル部材の全面に設置しなければ営巣されてしまうおそれがあるということである。
【０００８】
そこでこの発明は、電柱や送電線用の鉄塔などの高所において、カラスなど鳥類の営巣を防止するとともに、カラスなどが二度と飛来して来ないようにすることを目的とした営巣防止装置を提供する。
【課題を解決するための手段】
【０００９】
上記課題を解決するために、請求項１の発明は、電柱の腕金や鉄塔のアングル部材に設置する営巣防止装置であって、鳥の巣と同程度の大きさで、中が空洞の容器状を成し、一面に複数の開口を有する外装部と、前記外装部の空洞内に収納され、合成樹脂からなる円筒の表面にランダムな凹凸形状を形成してなり、回転自在に支持された雲状体と、蛇の形態をモチーフした蛇模型と、外装部の外側に配置され、風を受けて回転する風車機構と、前記風車機構による回転を前記雲状体に伝えるための回転伝達機構と、を有し、前記蛇模型は、頭部を上に向け、尾の先端を前記雲状体に当接した略上向きで、前記外装部の開口と同じ位置に載置され、前記開口は、前記蛇模型の頭部と略等しい大きさに形成されており、風車機構の回転により雲状体が回転し、該雲状体の該表面の凹凸に倣って前記蛇模型が上下動をして外装部の前記開口から蛇模型の頭部が露出したり引っ込んだりする、ことを特徴とする。
【００１０】
この発明によれば、電柱の腕金や鉄塔のアングル部材において、風により風車機構が回転すると外装部の開口から蛇の形態をモチーフした蛇模型の頭部が露出したり引っ込んだりする。
【００１１】
請求項２の発明は、請求項１に記載の営巣防止装置において、前記回転伝達機構は、雲状体に取着された円板体と、風車機構に取着された円板体と、これら２つの円板体を連結し、風車機構の円板体の回転を雲状体の円板体に伝達する連結棒とからなる、ことを特徴とする。
【００１２】
請求項３の発明は、請求項１または２に記載の営巣防止装置において、前記蛇模型は、頭部の下部に口開閉機構が設けられ、該口開閉機構が動作すると口が開くようになっており、該口の内部には鏡を備えた、ことを特徴とする。
【００１３】
請求項４の発明は、請求項１から３に記載の営巣防止装置において、外装部は土台部に回転自在に支持されており、外装部には尾翼が設けられており、外装部が風を受けたときに尾翼が風下に位置するように外装部が土台に対して回転するようになっている、ことを特徴とする。
【発明の効果】
【００１４】
請求項１の発明によれば、営巣を試みて電柱や鉄塔にカラスが接近したときに、風の力により自動的に上下運動して外装部から露出したり引っ込んだりするカラスの天敵である蛇の模型によりカラスを驚愕させ、退散させることができるので、確実に営巣を防止することが可能となる。特にカラスの天敵である「へび」とカラスに誤認させることができれば、この近辺にカラスは二度と飛来して来ることはなく、したがって電柱の腕金や鉄塔のアングル部材に全面あるいはすべてに営巣防止装置を設ける必要もない。
【００１５】
請求項２の発明によれば、前記回転伝達機構を、雲状体に取着された円板体と、風車機構に取着された円板体と、これら２つの円板体を連結し風車機構の円板体の回転を雲状体の円板体に伝達する連結棒とから構成したので、構成部材を少なく簡単な機構にて風車機構の回転を雲状体に伝えることができる。
【００１６】
請求項３の発明によれば、前記蛇模型にその頭部の下部に口開閉機構を設け、該口開閉
機構が動作すると口が開くようにし、該口の内部には鏡を備えたので、接近してきたカラスに反射光を与えたり、キラキラ感による恐怖感を与えたりすることになり、さらに驚愕させることができる。カラスに営巣防止装置を忌避させることができれば、二度と飛来することはなく、営巣防止効果も高まる。
【００１７】
請求項４の発明によれば、外装部を土台部に回転自在に支持し、外装部には尾翼を設けたので、外装部が風を受けたときに尾翼が風下に位置するように外装部が土台に対して回転するため、風車機構は風の力を最大限受けることができる。風の力を最大限利用することにより、蛇模型の上下動の動きを激しくすることができ、カラスの飛来をさらに抑制することになり、営巣防止に繋がる。また、風向きが変わると営巣防止装置も向きを変わることになり、この点においてもカラスを驚愕させることができる。
【図面の簡単な説明】
【００１８】
【図１】図２〜図６とともにこの発明の実施の形態に係る営巣防止装置を示す概略図で、本図は全体を示す側面図である。
【図２】図１と同様に側方から見てその内部構成を示す図である。
【図３】蛇模型を拡大して示す側面図である。
【図４】蛇模型の口開閉機構が閉まった状態を拡大して示す平面図である。
【図５】蛇模型の頭部を省略しあご部を拡大して示す平面図である。
【図６】営巣防止装置を電柱の腕金に取り付け、カラスが飛来してきた状態を模式的に示す斜視図である。
【発明を実施するための形態】
【００１９】
以下、この発明を図示の実施の形態に基づいて説明する。
【００２０】
図１、２は、本技術に係る営巣防止装置１を示す図であり、図１は側面図、図２は側面から見た内部構成図である。営巣防止装置１は、土台部２と、回転支柱３と、外装部４と、雲状体５と、蛇模型６と、連結棒７と、回転支持機構８と、風車機構９と、尾翼１０から構成されている。
【００２１】
土台部２は、鳥の巣と同程度の径の円板であり、素材は、ポリエチレンから構成されている。土台部２の中心には、ザグリ穴である差し込み口２１が形成され、反差し込み口２１側には、磁石２２が埋め込まれている。
【００２２】
差し込み口２１は円形をしており、その径は数ｃｍ程度である。また、磁石２２は強力なネオジム磁石であり、腕金等の金属面に営巣防止装置１を固定する。
【００２３】
尚、営巣防止装置１の腕金等への固定は磁石２２の磁力によるものの他、ボルトナットと取り付け金具などやバンドなどの取着手段であっても良い。
【００２４】
回転支柱３は、円柱形状をしており、その径は、差し込み口２１より僅かに小さく設定されている。
【００２５】
回転支柱３の素材は、ポリエチレンから構成されている。
【００２６】
回転支柱３の一端は、差し込み口２１に、回転自在に挿入されており、他端は外装部４の底面に接続されている。外装部４と回転支柱３の接続点は、営巣防止装置１の大きさや形状を勘案して、その重心近くに設定されている。これにより、外装部４は土台部２に対して回転自在に支持される。
【００２７】
外装部４は、下半分側が略円筒状、上半分部がドーム状の形状をした、内部が空洞の容器であり、素材は、ポリエチレンから構成されている。外装部４の全体の大きさは、鳥の巣と同程度の大きさである。また、ドームの表面には、ピンポン玉程度の直径（数ｃｍ程度）の開口４１が数個設けられており、円筒側の表面（外装部４の底側）には、直径数ｍｍ程度の水抜き用開口４２が数か所形成されている。
【００２８】
開口４１は、その淵に沿い外装部４の内部（下方）に向かって、円筒状の側壁４１１が設けられている。側壁４１１は、ピンポン玉が１個入る程度の深さ（数ｃｍ程度）まで続いており、下端縁は内方に向かって折れ曲がり、内フランジ状に形成され、これにより側壁４１１の下端縁の開口が上端縁の開口４１よりも小さくなっている。
【００２９】
ここで、側壁４１１は、後述する蛇模型６の上下運動をガイドするとともに、下端縁の開口が小径にされていることにより、蛇模型６が外装部４の内部に落下することを防止する。
【００３０】
外装部４の厚さは、雨風等の自然現象で容易に破壊されないように程度、具体的には約５ｍｍ程度に設定されている。
【００３１】
外装部４の空洞内には、雲状体５が収納されている。雲状体５は、内部が空洞の略円筒形状の物体であり、表面に雲のような凹凸がランダムに形成されている、素材は、ポリエチレンから構成されている。雲状体５の大きさは、外装部４の空洞内で、円筒の長手方向を軸として回転させることができる大きさに設定されている。
【００３２】
蛇模型６は、図３に示す様に、ボール保持部６１と、ボール６２と、胴体部６３と、頭部６４と、あご部６５と、開閉軸６６と、鏡６７とから構成されている。ここで、鏡６７以外の蛇模型６の構成要素の素材は、それぞれポリエチレンからなっている。
【００３３】
ボール保持部６１は、椀状の物体であり、開口４１の直径より大きい球殻を切断した形状をしている。ここで、ボール保持部６１の切断部分は、ボール保持部６１の容積が、球殻の容積の半分以上となり、切断箇所に形成される円が球殻の最大直径よりも小さくなる位置に設定されている。
【００３４】
ボール６２は、ボール保持部６１に嵌り込みかつ脱落しない大きさに設定され、ボール保持部６１にボール６２を嵌めこんだ状態では、ボール６２は滑らかに回転する。
【００３５】
胴体部６３は、蛇の胴体をモチーフした部分である。円筒形状をしており、表面には、蛇の模様（図示略）が描かれている。
【００３６】
胴体部６３の円の径は、ボール保持部６１の半分程度である。長さは、後述するように、蛇模型６が上下運動をした際に、最下点で頭部６４とあご部６５の先端が外装部４の表面から隠れ、最高点では頭部６４とあご部６５が完全に露出する程度の長さに設定されている。
【００３７】
頭部６４は、蛇の頭の上半分をモチーフした部分である。側面から見ると略半球形状をしており、目玉６４１と、軸固定部６４２を有する。また、図４の平面図で見た場合、半球と長方形を組み合わせ、内部が空洞の容器状の形状をしている。
【００３８】
目玉６４１は、蛇の目玉に似せて描かれた意匠である。また、軸固定部６４２は、頭部６４を上から見た場合に矩形の形状の部分の２箇所の角に当たる箇所に、下側に半島状に突き出して形成されておる。また、軸固定部６４２の面内には軸穴６４３が設けられている。
【００３９】
あご部６５は、蛇のあごをモチーフした部分である。頭部６４と同様に、側面から見ると略半球形状をしている。また、上から見た場合には、図５の平面図に示す通り、軸穴６５１と切り欠き６５２を有する形状をしている。ここで、あご部６５は、頭部６４と同様、内部が空洞の容器状の形状をしている。
【００４０】
あご部６５には、平面図における矩形の形状の部分の２箇所の角に軸穴６４３と略同じ大きさの軸穴６５１が形成されている。また、空洞の内部には鏡６７が表を上にした状態で、その側面が空洞の内壁に接着されて固定されている。
【００４１】
頭部６４の２箇所の軸穴６４３と、あご部６５の２箇所の軸穴６５１を重ね合わせ、それぞれに開閉軸６６を挿入して、口を開閉する機構（口開閉機構）を構成する。
【００４２】
ここで、軸穴６５１は、蛇模型６を垂直に立てたときに、あご部６５が重力により回転して、口が自動的に開くような位置、すなわち、あご部６５の重心から離れた位置に形成されている。
【００４３】
切り欠き６５２は、口が胴体部６３と干渉せずに、スムーズに開閉できるような大きさに形成されている。つまり、切り欠き６５２を大きくとれば口の可動範囲は大きくなり、逆に小さく取れば口の可動範囲は小さくなる。
【００４４】
頭部６４とあご部６５を組み合わせ、口が閉じた状態は、開口４１と略等しい大きさになるように設定されている。
【００４５】
蛇模型６は、頭部６４を上に向け、ボール６２を雲状体５に当接した略垂直上向きに、開口４１と同じ位置に載置される。
【００４６】
連結棒７は、上部で容易に変形や破損をしない素材と太さ、例えばステンレス製で、太さは約５ｍｍで構成されている。
【００４７】
連結棒７は、高さの異なる位置での風車機構９における回転運動を、雲状体５に伝えるために、２か所でそれぞれ反対方向に直角に屈曲した構造となっている。すなわち、図２においては、端部はそれぞれ、後述する円板体８１、円板体９４の中心以外の箇所に、回転自在に接続されている。
【００４８】
回転支持機構８は、雲状体５を回転自在に支持するためのもので、円板体８１と回転軸８２と回転支持体８３から構成され、風車機構９で発生された動力を、連結棒７と通じて雲状体５の回転と変換している。尚、これらはポリエチレンを素材としている。
【００４９】
円板体８１は、中心で回転軸８２が面と垂直に接続し、反回転軸８２側の中心以外の箇所には、連結棒７より僅かに径の大きい開口が形成されており、連結棒７の一端が回転自在に接続している。
【００５０】
回転軸８２の反円板体８１側の端部は、雲状体５に接続されている。
【００５１】
回転支持体８３は、回転軸８２を回転自在に挿通している。また、回転支持体８３は、外装部４の内側に、水平な状態でその側面が接着されている。
【００５２】
風車機構９は、プロペラ９１と、プロペラ軸９２と、回転部９３と、円板体９４と、支柱９５から構成されている。これらの構成は、ポリエチレンを素材としている。
【００５３】
プロペラ９１は、空気抵抗を減らして効率良く回転をするために３枚羽のプロペラ形状をしている。
【００５４】
また、プロペラ軸９２は、一端をプロペラ９１の中心に垂直に接続されている。
【００５５】
回転部９３は円筒形状をしている。上述のプロペラ軸９２は、回転部９３の円筒の内部に、回転可能に貫通している。
【００５６】
円板体９４は、風をさえぎらないように、プロペラ９１の径より半分以下に小さく設定されている。円板体９４の中心には、プロペラ軸９２が垂直に接続されている。
【００５７】
ここで、円板体９４の反プロペラ軸９２側の中心以外の箇所には、連結棒７より僅かに径の大きい開口が形成されており、連結棒７の反雲状体５側の一端を、回転自在に接続している。
【００５８】
また、円板体９４と円板体８１が同調して回転できるように、円板体９４の中心から連結棒７の接続部までの距離は、円板体８１の中心から連結棒７の接続部までの距離と等しく設定されている。
【００５９】
支柱９５は、略Ｌ字形状をした棒であり、一端は回転部９３に接続され、もう一端は外装部４に接続されて、プロペラ９１を空中に配設する。
【００６０】
尾翼１０は、ポリエチレン製の平板であり、外装部４の反風車機構９側に、面が垂直な向きに接続されている。尾翼１０は、外装部４の大きさを勘案して、営巣防止装置１が風を受けた時に、回転支柱３を軸にして回転をする程度の大きさに設定されている。
【００６１】
次に、本技術に係る営巣防止装置１の作用について、図１〜図６に基づいて説明をする。
【００６２】
電柱１００の腕金１０１など、カラス１０２が営巣を試みそうな場所に、磁石２２を腕金１０１に吸着させて、営巣防止装置１を固定する。
【００６３】
まず、営巣防止装置１が風を受けると、外装部４に備えられた尾翼１０が押されて、回転支柱３が回転し、プロペラ９１は、風に正対される。すなわち、風向きが変わっても、風車機構９のプロペラ９１が最も効率よく風を受けることができ、効率の良い回転力を得ることができる。
【００６４】
プロペラ９１が風を受け、回転をすると、それと同時に円板体９４も回転をする。そして、円板体９４の反プロペラ９１側に接続された連結棒７が、上下運動をする。
【００６５】
連結棒７の上下運動は、円板体８１を回転させ、回転軸８２通じて外装部４の内部の雲状体５を回転させる。
【００６６】
すなわち、円板体８１、円板体９４及び連結棒７によって、風車機構９の回転を雲状体５の回転に伝達する回転伝達機構９４、７、８１が構成される。この回転伝達機構９４、７、８１にあっては構成部品が少なく構造が簡単で、簡便に回転を雲状体５に伝達することができる。
【００６７】
尚、風車機構９の回転を雲状体５への回転と伝達する機構として上記回転伝達機構９４、７、８１に限らず、ベルト、歯車などの伝達機構であっても良い。
【００６８】
雲状体５が回転運動をすると、雲状体５に載置された蛇模型６のボール６１が回転しつつ、それぞれランダムに上昇、下降動作を行う。頭部が開口４１内に収まっている場合は、あご部６５は開口４１と側壁４１１に支えられているので、口は完全には開かない。一方、頭部が完全に開口４１から露出すると、あご部６５は支えを失うので、下に回転して、口開閉機構により口が開く。そして、口の内部に設置された鏡６７が露出して、周囲の光を反射する。
【００６９】
雲状体５が回転を続け、蛇模型６が下降して、頭部が開口４１から外装部４の内部に収納されるにつれ、開口４１と側壁４１１があご部６５に当接してあご部６５を持ち上げるので、蛇模型６の口が徐々に閉じる。
【００７０】
このような営巣防止装置１によれば、営巣を試みて電柱１００や鉄塔にカラス１０２が接近したときに、カラス１０２の天敵である蛇をモチーフした蛇模型６の自動上下運動と、鏡６７に反射した光によりカラス１０２を驚愕させ、退散させることができるので、営巣を防止することが可能となる。なお、カラス１０２を驚愕させるためには、鏡のほかキラキラ光るものや動きの激しいものを備えるようにしても良い。
【００７１】
そして、驚愕させられたカラス１０２は蛇模型６を天敵の「へび」と誤認すれば、二度と近づこうとはせず、カラス１０２が営巣防止装置１を忌避するになり、確実に営巣を防止することができる。
【００７２】
また、この発明にあっては、風力を使用するため、特別な電源や燃料を必要とせず、環境に負荷を減らすことが可能となる。
【００７３】
さらに、回転支柱３が回転し、自動的にプロペラ９１を風に正対させることができるので、風向きが変化してもこれに適応して安定した動作を期待することができる。
【００７４】
しかも、強力な磁石２２で固定するので、突風や地震等の自然現象や、鳥のいたずら等の要因により落下する危険性が少ない。
【００７５】
さらにまた、開口４１より外装部４の内部に雨水が入ったとしても、水抜き用開口４２から排出されるので、一度設置した後は特に排水作業を行う必要はない。
【符号の説明】
【００７６】
１      営巣防止装置
２      土台部
３      回転支柱
４      外装部
４１    開口
５      雲状体
６      蛇模型
６４    頭部
６４２  軸固定部
６４３  軸穴
６５１  軸穴
６５２  切り欠き
６６    開閉軸
６４２、６４３、６５１、６６  口開閉機構
６７    鏡
７      連結棒
８      回転支持機構
８１    円板体
９      風車機構
９４    円板体
９４、７、８１  回転伝達機構
１０    尾翼
１００  電柱
１０１  腕金
１０２  カラス
【図１】
2017063747.tif 000003
【図２】
2017063747.tif 000004
【図３】
2017063747.tif 000005
【図４】
2017063747.tif 000006
【図５】
2017063747.tif 000007
【図６】
2017063747.tif 000008